(57)【要約】      （修正有）【課題】耐震性、操作および据付の作業性を向上させることができるガス絶縁開閉装置を提供する。【解決手段】２つの主母線および母線一体形断路器１０ａ，１０ｂを同一高さで互いに対向して配置し、母線側計器用変流器２ａを内蔵したＴ字形の着脱装置１１ａを母線一体形断路器１０ａ，１０ｂ間に接続し、着脱装置１１ａの下部に接続された水平の単相遮断器１を、主母線に対して直角方向で水平に配置し、線路側の断路器接地装置１６を直線形で構成し、水平に引き出す。【選択図】図１
2016135004.tif 000002
【特許請求の範囲】
【請求項１】
三相一括形の第１主母線および第２主母線を同一高さで平行に配置し、
前記第１主母線および前記第２主母線にそれぞれ単相分岐部を設け、
前記単相分岐部に単相断路器を接続し、
前記第１主母線側に接続した前記単相断路器と前記第２主母線側に接続した前記単相断路器を同一高さで互いに対向して配置し、
これら単相断路器間に母線側計器用変流器を接続し、
前記単相断路器の下方で、且つ前記第１主母線および前記第２主母線に対して直角方向で水平に、単相遮断器を配置し、
前記単相遮断器には垂直方向および水平方向に口出し部を形成し、
前記単相遮断器の垂直方向の口出し部に前記母線側計器用変流器を接続し、
前記単相遮断器の水平方向の口出し部に線路側計器用変流器および直線形の断路器接地装置を接続し、
これら線路側計器用変流器および断路器接地装置を前記第１主母線および前記第２主母線に対して反対側で水平に引き出し、単相部分を略平行に三相分配置したことを特徴とするガス絶縁開閉装置。
【請求項２】
前記単相断路器間で、且つ前記単相遮断器の上方にＴ字形の着脱装置を配置し、
当該着脱装置に前記母線側計器用変流器を内蔵し、左右の両端部に前記単相断路器を接続したことを特徴とする請求項１に記載のガス絶縁開閉装置。
【請求項３】
前記単相断路器に作業用接地装置を接続し、主母線と一体化した主母線一体形断路器を備え、
前記主母線一体形断路器に前記単相断路器および前記作業用接地装置の操作装置を取り付け、
前記断路器接地装置には作業用接地装置、単相断路器および線路側接地開閉器を一体的に収納すると共に、これら作業用接地装置、単相断路器および線路側接地開閉器の操作装置を取り付け、
前記操作装置を地上から２ｍ以下の高さに配置したことを特徴とする請求項１又は２に記載のガス絶縁開閉装置。
【請求項４】
単相から三相への分岐母線を介して、前記断路器接地装置から水平に三相一括形の線路側ガス絶縁母線を接続したことを特徴とする請求項１〜３のいずれか１項に記載のガス絶縁開閉装置。
【請求項５】
前記断路器接地装置には単相母線を介して変圧器に接続したことを特徴とする請求項１〜４のいずれか１項に記載のガス絶縁開閉装置。
【発明の詳細な説明】
【技術分野】
【０００１】
本発明の実施形態は、ガス絶縁開閉装置に関するものである。
【背景技術】
【０００２】
近年、据付面積の縮小化、安全性、保守性および点検性の向上や環境調和の目的で、開閉装置にはガス絶縁開閉装置が使用される場合が多い。ガス絶縁開閉装置の充電部は、全て接地された金属容器内に収納されていることから、機器の組合せにより様々な配置構成が提案されており、大幅な縮小化が図られている。
【０００３】
また、ガス絶縁開閉装置は、絶縁強度の高いＳＦ６ガスを絶縁媒体としているため、遮断器、断路器、接地開閉器などの機器の大幅な縮小化が可能であり、３本の導体を一つのタンク内に収納した三相一括形も数多く採用されている。ただし、５５０ｋＶクラスで、遮断器や断路器などの機器を三相一括形にした場合、機器を収納するタンクが大形化して縮小化のメリットが少なくなる懸念がある。
【０００４】
そこで、従来のガス絶縁開閉装置では、主母線および線路側のガス絶縁母線のみを三相一括形にし、遮断器や断路器などの機器は単相形を適用している。このようなガス絶縁開閉装置の従来例を図４〜図６を参照して説明する。図４は一般的な単線結線図、図５および図６は図４に示したガス絶縁開閉装置の配置構成を示す側面図および平面図である。
【０００５】
図４に示すように、単相遮断器１の両側には母線側の計器用変流器２ａおよび線路側の計器用変流器２ｂが配置されている。母線側の計器用変流器２ａは、単相断路器３ａ，３ｂおよび作業用接地装置４ａを介して、三相一括形である第１主母線Ａおよび第２主母線Ｂに接続されている。一方、線路側の計器用変流器２ｂは、作業用接地装置４ｂ、単相断路器３ｃおよび線路側接地開閉器４ｃを介してブッシング５に接続されている。線路側接地開閉器４ｃとブッシング５との間には、計器用変圧器６および避雷器７が接続されている。
【０００６】
図５および図６に示すように、単相遮断器１は、回線方向の縮小化を図るために軸方向が垂直である縦形に配置されている。単相遮断器１に配置された計器用変流器２ａ，２ｂのうち、母線側の計器用変流器２ａは単相遮断器１の中ほどの高さに配置され、図５において右方向に水平に引き出されている。計器用変流器２ａには単相断路器３ａ，３ｂおよび作業用接地装置４ａが接続されるが、これら単相断路器３ａ，３ｂおよび作業用接地装置４ａは、内部構造を簡素化するために主母線と一体化された母線一体形断路器１０ａ，１０ｂとして構成されている。
【０００７】
母線一体形断路器１０ａ，１０ｂは、その支持構造を簡略化するために、極力低い位置に配置される。また、母線一体形断路器１０ａと１０ｂとの間には、ベローズからなる着脱装置１１ａが設けられている。母線一体形断路器１０ａ，１０ｂの組立や分解に際して、着脱装置１１ａは母線一体形断路器１０ａ，１０ｂに対して着脱するようになっている。
【０００８】
一方、線路側の計器用変流器２ｂは単相遮断器１の上部寄りに配置され、図５において左方向に水平に引き出されている。計器用変流器２ｂには線路側の作業用接地装置４ｂ、単相断路器３ｃおよび線路側接地開閉器４ｃが接続されるが、これらの機器は一体化（複合化）されて直線形の断路器接地装置１２に収納されている。
【０００９】
断路器接地装置１２は線路側の計器用変流器２ｂを介して直線的に単相遮断器１の上部に配置されている。断路器接地装置１２は、遮断器１の機構部の点検スペースを確保する必要から、例えば地上３ｍを超える高さに位置している。このため、断路器接地装置１２は、組立や分解に際して、上方からクレーンなどの重機を使用する構成としている。
【００１０】
また、三相一括形の線路側ガス絶縁母線１５が、耐震性を考慮して地上１ｍ程度に配置され、ブッシング５まで接続される。このため、地上３ｍ超に位置する断路器接地装置１２から地上付近の線路側ガス絶縁母線１５までは、立ち下がり母線２２および三相から単相へ分岐する分岐母線１７を介して接続されている。
【００１１】
ところで、母線一体形断路器１０ａ，１０ｂを構成する断路器３ａ，３ｂ、作業用接地装置４ａには、それぞれに対応して操作装置１３ａ，１３ｂ、１４ａが設けられている。これら操作装置１３ａ，１３ｂ、１４ａは母線一体形断路器１０ａ，１０ｂに取り付けられるが、下部には主母線Ａ，Ｂが配置されていることから、母線一体形断路器１０ａ，１０ｂの下部に設置することができず、母線一体形断路器１０ａ，１０ｂの上部に設置されている。したがって、操作装置１３ａ，１３ｂ、１４ａは例えば地上３ｍ程度の高さに取り付けられている。
【００１２】
さらに、断路器接地装置１２に内蔵された断路器３ｃ，作業用接地装置４ｂ，線路側接地開閉器４ｃに関しても、それぞれに対応して操作装置１３ｃ，１４ｂ，１４ｃが設けられている。これらの操作装置１３ｃ，１４ｂ，１４ｃは、遮断器１ａの点検スペースを確保する必要上、断路器接地装置１２の下側で、高さにして地上３ｍ程度の位置に取り付けられている。
【先行技術文献】
【特許文献】
【００１３】
【特許文献１】特開２００３−３０９９０９号公報
【発明の概要】
【発明が解決しようとする課題】
【００１４】
しかしながら、従来のガス絶縁開閉装置では、次のような課題が指摘されている。すなわち、単相遮断器１に縦形配置を適用すると、回線方向の縮小化を図ることはできるが、その反面、重心位置が高くなって耐震強度の確保が困難である。
【００１５】
本発明の実施形態は、上記事情を考慮してなされたもので、耐震性を向上させることができるガス絶縁開閉装置を提供することを目的とする。
【課題を解決するための手段】
【００１６】
上記の課題を解決するために、本発明の実施形態は、次の構成要素（ａ）〜（ｊ）を有することを特徴としている。
（ａ）三相一括形の第１主母線および第２主母線を同一高さで平行に配置する。
（ｂ）前記第１主母線および前記第２主母線にそれぞれ単相分岐部を設ける。
（ｃ）前記単相分岐部に単相断路器を接続する。
（ｄ）前記第１主母線側に接続した前記単相断路器と前記第２主母線側に接続した前記単相断路器を同一高さで互いに対向して配置する。
（ｅ）これら単相断路器間に、母線側計器用変流器を接続する。
（ｆ）前記単相断路器の下方で、且つ前記第１主母線および前記第２主母線に対して直角方向で水平に、単相遮断器を配置する。
（ｇ）前記単相遮断機には垂直方向および水平方向に口出し部を形成する。
（ｈ）前記単相遮断器の垂直方向の口出し部に前記母線側計器用変流器を接続する。
（ｉ）前記単相遮断器の水平方向の口出し部に線路側計器用変流器および直線形の断路器接地装置を接続する。
（ｊ）これら線路側計器用変流器および断路器接地装置を前記第１主母線および前記第２主母線に対して反対側で水平に引き出し、単相部分を略平行に三相分配置する。
【図面の簡単な説明】
【００１７】
【図１】第１実施形態の側面図。
【図２】第１実施形態の平面図。
【図３】第２実施形態の側面図。
【図４】ガス絶縁開閉装置の単線結線図。
【図５】従来のガス絶縁開閉装置の側面図。
【図６】従来のガス絶縁開閉装置の平面図。
【発明を実施するための形態】
【００１８】
以下、本発明に係る実施形態について、図面を参照して具体的に説明する。なお、従来技術と同一または対応する部分には図５および図６と同一の符号を用いて説明する。また、本発明に係る実施形態の単線結線図は図４に示したそれと同様であるので、単線結線図については図面およびその説明を省略する。
【００１９】
（Ａ）第１実施形態
（構成）
以下、本発明の第１実施形態について図１および図２を用いて具体的に説明する。第１実施形態においては、図１、図２に示すように、三相一括形である第１主母線Ａおよび第２主母線Ｂ（以下、単に主母線Ａ、Ｂとも呼ぶ）が、それぞれ平行で同一高さに配置されている。
【００２０】
図２に示すように、第１主母線Ａおよび第２主母線Ｂにはそれぞれ単相分岐部が水平方向に、互いに対向して設けられており、第１主母線Ａ側の単相分岐部には単相断路器３ａが接続され、第２主母線Ｂ側の単相分岐部には単相断路器３ｂが接続されている。これら単相断路器３ａ，３ｂは、同一高さで互いに対向して配置されている。
【００２１】
単相断路器３ａ，３ｂの間にＴ字形の着脱装置１１ａが配置されている。Ｔ字形の着脱装置１１ａの左右の両側の口出し部にそれぞれ単相断路器３ａ，３ｂが接続されている。着脱装置１１ａには母線側計器用変流器２ａが内蔵されており、この母線側計器用変流器２ａが単相断路器３ａ，３ｂ間に接続される。
【００２２】
単相断路器３ａ，３ｂの下方には単相遮断器１が配置されている。この単相遮断器１は、軸方向が垂直な縦形配置ではなく、水平に配置されており、主母線Ａ、Ｂの軸方向に対して直角方向で水平に配置されている。単相遮断器１には垂直方向および水平方向に口出し部が形成されている。このうち垂直方向の口出し部には着脱装置１１ａの下部が垂直に取り付けられている。
【００２３】
つまり単相断路器３ａ，３ｂは単相遮断器１に対してＴ字形の着脱装置１１ａが立ち上げられて接続されるので、単相断路器３ａ，３ｂと単相遮断器１との間は、Ｔ字形の着脱装置１１ａの高さ寸法分だけスペースが形成される。そこで、このスペースを利用して、単相断路器３ａ，３ｂ、作業用接地装置４ａを操作する操作装置１３ａ，１３ｂ，１４ａが配置される。これらの操作装置１３ａ，１３ｂ，１４ａはそれぞれ全て正面で低位置、例えば地上から２ｍ付近に配置されており、地上より作業員が操作可能な配置構成となっている。
【００２４】
また、単相遮断器１の水平方向の口出し部には、ガス絶縁母線からなる着脱装置１１ｂが取り付けられており、ここに線路側計器用変流器２ｂおよび直線形の断路器接地装置１６が順次接続されている。断路器接地装置１６には、従来と同様、作業用接地装置４ｂ、線路側の断路器３ｃおよび線路側接地開閉器４ｃが収納されており、これらの機器を操作する操作装置１３ｃ，１４ｂ，１４ｃが、断路器接地装置１６の下部に取り付けられている。操作装置１３ｃ，１４ｂ，１４ｃはそれぞれ全て正面で低位置、例えば地上から１．５ｍ付近に配置されており、地上より作業員が操作可能な配置構成となっている。
【００２５】
さらに、線路側計器用変流器２ｂおよび断路器接地装置１６は単相部分が略平行に三相分配置されている。また、断路器接地装置１６には、三相母線から単相母線へ分岐する接続母線１７が接続されている。この接続母線１７によって線路側計器用変流器２ｂおよび断路器接地装置１６は水平方向で、主母線Ａ，Ｂ側に対して反対側に引き出されており、三相一括形の線路側ガス絶縁母線１５を介してブッシング５により外部接続されている。
【００２６】
（作用および効果）
以上の構成を有する第１実施形態によれば、主母線Ａ，Ｂおよび母線一体形断路器１０ａ，１０ｂを、同一高さで互いに対向して配置し、母線側計器用変流器２ａを内蔵したＴ字形の着脱装置１１ａを、母線一体形断路器１０ａ，１０ｂ間に、接続し、この着脱装置１１ａの下部に接続された水平の単相遮断器１を、主母線Ａ，Ｂに対して直角方向で水平に配置し、線路側の断路器接地開閉器１６を直線形で構成し、水平に引き出している。これにより、次のような作用および効果がある。
【００２７】
（１）縮小化
主母線Ａ，Ｂと単相断路器３ａ，３ｂを単相遮断器１の上部に配置し、この単相遮断器１と接続される直線形の断路器接地装置１６によって、単相遮断器１から水平方向へ直線的に引き出すことができ、ブッシング５までの母線長を短くして、装置全体の縮小化を実現することができる。
【００２８】
（２）耐震性
単相遮断器１を横置きで配置することにより、低重心となり耐震性が向上する。このため、優れた安全性を確保することができる。
【００２９】
（３）据付の作業性
また、横置きの単相遮断器１を採用したことで、母線一体形断路器１０ａ，１０ｂと線路側の断路器３ｃとを接続した状態のまま輸送することができ、それぞれを単独で輸送する必要がない。その結果、現地での組立箇所を少なくすることができ、据付作業の工程を短縮化することができる。
【００３０】
（４）操作の作業性
各機器の操作装置１３ａ，１３ｂ，１３ｃ，１４ａ，１４ｂ，１４ｃが、地上から１．５〜２ｍの高さに配置されているので、操作用のプラットホームが不要となる。したがって、作業員はプラットホームを使用することなく、地上から操作装置１３ａ，１３ｂ，１３ｃ，１４ａ，１４ｂ，１４ｃを操作することが可能となる。その結果、操作の作業効率が向上する。
【００３１】
（５）経済性
遮断器の耐震性の低さを補うための補強部材や操作用プラットホームが不要となり、据付作業工程の短縮化や操作の作業効率向上が実現するので、イニシャルコストおよびランニングコストを大幅に削減することができる。
【００３２】
（Ｂ）第２実施形態
（構成）
本発明の第２実施形態について図３を用いて具体的に説明する。図３は本発明に係るガス絶縁開閉装置の第２実施形態を示す側面図である。なお、前記第１実施形態と同一の部分には同一の符号を付して説明する。
【００３３】
本実施形態では、図３に示すように、単相遮断器１の水平方向の口出し部は、線路側計器用変流器２ｂを内蔵する着脱装置１１ｂを介して、直線形の断路器接地装置１８の一方の口出し部に接続されている。この直線形の断路器接地装置１８には、作業用接地装置４ｂが収納されており、他方の口出し部は単相母線１９に接続されている。この単相母線１９により線路側計器用変流器２ｂおよび断路器接地装置１８は水平方向で、主母線Ａ，Ｂ側に対して反対側に引き出され、変圧器接続部２０を介して変圧器２１が接続されている。
【００３４】
（作用および効果）
このように構成された第２実施形態では、断路器接地装置１８を単相の直線形で構成し、水平に引き出しているが、５５０ｋＶクラスの変圧器接続部２０が単相である場合に、単相母線１９で直接接続することが可能となる。これにより、主母線Ａ，Ｂから変圧器２１までの母線長を短くすることができ、装置全体の縮小化を実現することができる。
【００３５】
（Ｃ）他の実施形態
上記の実施形態は、本明細書において一例として提示したものであって、発明の範囲を限定することを意図するものではない。すなわち、その他の様々な形態で実施されることが可能であり、発明の範囲を逸脱しない範囲で、種々の省略や置き換え、変更を行うことが可能である。これらの実施形態やその変形例は、発明の範囲や要旨に含まれると同様に、特許請求の範囲に記載された発明とその均等の範囲に含まれるものである。
【００３６】
例えば、操作装置１３ａ，１３ｂ，１３ｃ，１４ａ，１４ｂ，１４ｃを設置する高さは、第１実施形態に示した１．５〜２ｍに限定されることはなく、作業員が地上から操作可能な高さであれば良く、１．５ｍ以下であっても構わない。また、構成要素の種類や配置数なども適宜変更可能である。
【符号の説明】
【００３７】
１ 単相遮断器
２ａ 母線側計器用変流器
２ｂ 線路側計器用変流器
３ａ，３ｂ 単相断路器
３ｃ 断路器
４ａ，４ｂ 作業用接地開閉器
４ｃ 線路側接地開閉器
５ ブッシング
６ 計器用変圧器
７ 避雷器
１０ａ，１０ｂ 母線一体形断路器
１１ａ，１１ｂ 着脱装置
１２ 断路器接地装置
１３ａ，１３ｂ，１３ｃ 操作装置
１４ａ，１４ｂ，１４ｃ 操作装置
１５ ガス絶縁母線
１６ 断路器接地装置
１７ 分岐母線
１８ 断路器接地装置
１９ 単相母線
２０ 変圧器接続部
２１ 変圧器
Ａ 第１主母線
Ｂ 第２主母線
【図１】
2016135004.tif 000003
【図２】
2016135004.tif 000004
【図３】
2016135004.tif 000005
【図４】
2016135004.tif 000006
【図５】
2016135004.tif 000007
【図６】
2016135004.tif 000008